(57)【要約】  溶剤を用いて対象物から剥がそうとした際に、再利用ができなくなる識別媒体を提供する。  ホログラム加工１０３が施されたコレステリック液晶層１０２をＣＯＰ（シクロオレフィンポリマー）層１０１に接して設けた構造とする。粘着層１０４によって対象物に貼り付けられた状態から識別媒体１００を，溶剤を用いて剥がそうとした際に、ＣＯＰ層１０１が溶剤によって溶け、破損する。ＣＯＰ層１０１は、識別媒体１００の基材としても機能する層であり、上記の溶剤に触れることでの破損により、識別媒体１００自体が破損し、その再利用が困難となる。
2012137550.tif 000002
【特許請求の範囲】
【請求項１】
識別機能を示す光学機能層と、
前記光学機能層の基材として機能するシクロオレフィンポリマーの層と
を備えることを特徴とする識別媒体。
【請求項２】
観察が行われる側の面から、
前記シクロオレフィンポリマーの層と、
前記光学機能層と、
粘着層と
の順で積層された構造を有することを特徴とする請求項１に記載の識別媒体。
【請求項３】
観察が行われる側の面から、
前記光学機能層と、
前記シクロオレフィンポリマーの層と、
粘着層と
の順に積層された構造を有することを特徴とする請求項１または２に記載の識別媒体。
【請求項４】
前記シクロオレフィンポリマーの層の前記粘着層の側に印刷パターンが形成されていることを特徴とする請求項３に記載の識別媒体。
【請求項５】
前記粘着層の粘着面には、穴またはスリットが形成されていることを特徴とする請求項３または４に記載の識別媒体。
【請求項６】
前記穴またはスリットの先端が前記シクロオレフィンポリマーの層に到達していることを特徴とする請求項５に記載の識別媒体。
【請求項７】
前記光学機能層としてホログラム加工が施されたコレステリック液晶が採用されていることを特徴とする請求項１〜６のいずれか一項に記載の識別媒体。
【請求項８】
観察が行われる側の面から、
前記光学機能層と、
前記シクロオレフィンポリマーの層と、
溶剤で溶ける材質により構成される直線偏光層と、
粘着層と
の順に積層された構造を有し、
前記光学機能層がコレステリック液晶層であり、
前記シクロオレフィンポリマーの層は、延伸されることで複屈折性が与えられたλ／４板であり、
前記シクロオレフィンポリマーの層と前記直線偏光層とにより、前記粘着層の側から前記光学機能層の側に特定の旋回方向の円偏光を選択的に透過する円偏光フィルタ層が構成され、
前記円偏光フィルタ層が選択的に透過する円偏光の旋回方向と前記コレステリック液晶層が選択反射する円偏光の旋回方向とが逆であることを特徴とする請求項１〜７のいずれか一項に記載の識別媒体。
【請求項９】
前記溶剤で溶ける材質により構成される直線偏光層は、塗布型偏光層により構成されていることを特徴とする請求項８に記載の識別媒体。
【請求項１０】
前記塗布型偏光層がリオトロピック液晶染料の層により構成されていることを特徴とする請求項９に記載の識別媒体。
【発明の詳細な説明】
【技術分野】
【０００１】
本発明は、不正な再利用が困難な識別媒体に関する。
【背景技術】
【０００２】
製品の真贋判定に用いる識別媒体を真正品から剥がし、それを偽造品に貼り付けることで、偽造品を真正なものと偽る不正行為がある。この不正行為を防止するために、真正品に貼り付けられている識別媒体を剥がそうとした際に、その痕跡が判るようにする技術が提案されている（例えば、特許文献１および特許文献２参照）。【０００３】
この技術では、偽造防止ラベルの表面に有機溶剤で発色する発色層を設けたり、溶剤で流出するインクの層を設けたりすることで、溶剤によって当該偽造防止ラベルを剥がそうとした際に、発色やインクの流出を生じさせ、偽造防止ラベルの不正な再利用を防止することを意図している。
【先行技術文献】
【特許文献】
【０００４】
【特許文献１】特開平１０−２５０２２８号公報
【特許文献２】特開平１０−２６８７７２号公報
【発明の開示】
【発明が解決しようとする課題】
【０００５】
特許文献１や特許文献２に記載されている技術では、識別媒体自体は破損しないので、発色したインク部分を除去したり、流出したインク部分を再生したりすることで、識別媒体の再利用が可能となる。このような背景において、本発明は、溶剤を用いて対象物から剥がそうとした際に、再利用ができなくなる識別媒体を提供することを目的とする。
【課題を解決するための手段】
【０００６】
請求項１に記載の発明は、識別機能を示す光学機能層と、前記光学機能層の基材として機能するシクロオレフィンポリマーの層とを備えることを特徴とする識別媒体である。【０００７】
シクロオレフィンポリマーは、ガソリン、灯油、シンナー、ベンジン等の炭化水素系の溶剤に触れると非常に劣化しやすい化学的な性質を有し、また無理に引き剥がすような力を加えた際に引き裂かれ易い、あるいは皴が生じ易いという物理的な性質を有している。このため、溶剤を用いて識別媒体を対象物から剥がそうとした場合や、強制的に識別媒体を対象物から剥がそうとした場合に、基材であるシクロオレフィンポリマーの層が破損し、識別媒体自体が千切れる等の再利用不可能な破損状態となる。また、溶剤を用いずに無理に剥がそうとした場合でも、引き裂かれた跡や皺が生じた跡が残るので、剥がそうとした痕跡が極めて明確に残る。特に溶剤に接触させた状態で力が加わると、シクロオレフィンポリマーの層は非常に破損し易く、元の状態を維持することが全くできなくなる。これらの現象が生じることで、識別媒体の不正な再利用が困難となる。【０００８】
請求項２に記載の発明は、請求項１に記載の発明において、観察が行われる側の面から、前記シクロオレフィンポリマーの層と、前記光学機能層と、粘着層との順で積層された構造を有することを特徴とする。請求項２に記載の発明によれば、溶剤に触れた際に観察面のシクロオレフィンポリマーの層が破損し、光学機能層を保護する機能が失われる。このため、当該識別媒体の再利用が困難となる。【０００９】
請求項３に記載の発明は、請求項１または２に記載の発明において、観察が行われる側の面から、前記光学機能層と、前記シクロオレフィンポリマーの層と、粘着層との順に積層された構造を有することを特徴とする。請求項３に記載の発明によれば、当該識別媒体の基材となるシクロオレフィンポリマーの層と、当該識媒体を対象物に貼り付けるための粘着層とが接触する。溶剤を用いた識別媒体の不正な剥がし行為が行われる場合、粘着層の粘着力を弱めるために溶剤が用いられる。この際、粘着層にシクロオレフィンポリマーの層が接しているので、シクロオレフィンポリマーの層に溶剤が接触し易い。このため、溶剤を用いた不正な剥がし行為によるシクロオレフィンポリマーの層の破損が生じやすく、当該識別媒体の不正な再利用を困難とする機能がより高くなる。【００１０】
請求項４に記載の発明は、請求項３に記載の発明において、前記シクロオレフィンポリマーの層の前記粘着層の側に印刷パターンが形成されていることを特徴とする。請求項４に記載の発明によれば、シクロオレフィンポリマーの層が光学機能層の基材としてのみならず、印刷層の基材としても利用される。また、シクロオレフィンポリマーの層の粘着層側に印刷層があるので、溶剤の浸透による印刷層のインクの溶解も期待できる。このため、当該識別媒体の不正な再利用を困難とする機能がより高くなる。【００１１】
請求項５に記載の発明は、請求項３または４に記載の発明において、前記粘着層の粘着面には、穴またはスリットが形成されていることを特徴とする。請求項５に記載の発明によれば、穴またはスリットが浸透経路となり、粘着面に滴下された溶剤がシクロオレフィンポリマーの層に浸透し易い構造が得られる。【００１２】
請求項６に記載の発明は、請求項５に記載の発明において、前記穴またはスリットの先端が前記シクロオレフィンポリマーの層に到達していることを特徴とする。請求項６に記載の発明によれば、溶剤が粘着層に設けられた穴またはスリットを介してシクロオレフィンポリマーの層に浸透し易い構造が得られる。このため、溶剤を用いた不正な剥がし行為に起因するシクロオレフィンポリマーの層の破損がより生じやすい構造となる。【００１３】
請求項７に記載の発明は、請求項１〜６のいずれか一項に記載の発明において、前記光学機能層としてホログラム加工が施されたコレステリック液晶が採用されていることを特徴とする。【００１４】
請求項８に記載の発明は、請求項１〜７のいずれか一項に記載の発明において、観察が行われる側の面から、前記光学機能層と、前記シクロオレフィンポリマーの層と、溶剤で溶ける材質により構成される直線偏光層と、粘着層との順に積層された構造を有し、前記光学機能層がコレステリック液晶層であり、前記シクロオレフィンポリマーの層は、延伸されることで複屈折性が与えられたλ／４板であり、前記シクロオレフィンポリマーの層と前記直線偏光層とにより、前記粘着層の側から前記光学機能層の側に特定の旋回方向の円偏光を選択的に透過する円偏光フィルタ層が構成され、前記円偏光フィルタ層が選択的に透過する円偏光の旋回方向と前記コレステリック液晶層が選択反射する円偏光の旋回方向とが逆であることを特徴とする。【００１５】
請求項８に記載の発明によれば、コレステリック液晶層から選択反射される円偏光の旋回方向と、円偏光フィルタ層を観察面側に透過する円偏光の旋回方向とが逆であるので、ビューアである特定の円偏光フィルタを介して当該識別媒体を観察した際に、コレステリック液晶層からの反射光は見えるが、直線偏光層の背後からの反射光は見えない第１の観察状態、あるいはコレステリック液晶層からの反射光は見えないが、直線偏光層の背後からの反射光は見える第２の観察状態のいずれかが得られる。この２つの観察状態は、ビューアである円偏光フィルタの旋回方向を切り替えることで、反転する。この反転により見た目で顕著な違いが観察され、高い識別性が得られ、また高い偽造防止機能が得られる。【００１６】
そして、直線偏光層が溶剤で溶け、更にシクロオレフィンポリマーの層が溶剤で溶けるので、当該識別媒体が粘着層の機能により対象物に貼り付いている状態において、溶剤を用いて粘着層の粘着性を弱め、当該識別媒体を剥がした場合に、基材であるシクロオレフィンポリマーの層が物理的に破壊されるのと同時に、上記の光学特性も失われる。このため、不正に剥がしての再利用が困難となる。【００１７】
請求項９に記載の発明は、請求項８に記載の発明において、前記溶剤で溶ける材質により構成される直線偏光層は、塗布型偏光層により構成されていることを特徴とする。塗布型偏光層は、色素を含む材料を塗布することで形成される。塗布型偏光層の色素は、塗布する際に加わるせん断応力または下地の配向規制力により配向し、この色素の配向により、特定の方向の直線偏光を選択的に透過する直線偏光層として機能する。【００１８】
請求項１０に記載の発明は、請求項９に記載の発明において、前記塗布型偏光層がリオトロピック液晶染料の層により構成されていることを特徴とする。
【発明の効果】
【００１９】
本発明によれば、溶剤を用いて対象物から剥がそうとした際に、再利用ができなくなる識別媒体が提供される。
【図面の簡単な説明】
【００２０】
【図１】実施形態の断面図である。
【図２】実施形態の断面図である。
【図３】実施形態の断面図である。
【図４】実施形態の断面図である。
【図５】実施形態の断面図である。
【符号の説明】
【００２１】
１００…識別媒体、１０１…ＣＯＰ（シクロオレフィンポリマー）層、１０２…コレステリック液晶層、１０３…ホログラム加工、１０４…粘着層、１０５…セパレータ、１０６…印刷パターン、１０７…ハードコート層、１０８…穴またはスリット、１０９…延伸ＣＯＰ層（λ／４板）、１１０…リオトロピック液晶染料の層（直線偏光層）、１１１…円偏光フィルタ層、２００…識別媒体、３００…識別媒体、４００…識別媒体、５００…識別媒体。
【発明を実施するための形態】
【００２２】
（１）第１の実施形態
（構成）
図１には、識別媒体１００が示されている。識別媒体１００は、観察を行う側からＣＯＰ層１０１、ホログラム加工１０３が施されたコレステリック液晶層１０２、粘着層１０４、離型紙であるセパレータ１０５と積層された構造を有している。
【００２３】
ＣＯＰ層１０１は、シクロオレフィンポリマーをフィルム状にしたもので構成されており、表面保護層およびコレステリック液晶層１０２を支える基材として機能する。ＣＯＰ層１０１を構成するシクロオレフィンポリマーのフィルムは、可視光を透過する性質を有し、また本実施形態の構造では観察光が透過するので、透過する可視光の偏光の状態を乱さない性質を有している。ＣＯＰ層１０１の厚さは、１０μｍ〜２００μｍの範囲から選択することができる。ＣＯＰ層１０１としては、例えば日本ゼオン株式会社から販売されているゼオノアフィルムを用いることができる。
【００２４】
シクロオレフィンポリマーは、原油を分解した時に得られるＣ５留分の中に存在するシクロペンタジェンを原料とする熱可塑性のプラスチックである。ここで、Ｃ５留分というのは、原油を蒸留して得られるナフサを分解して副生する炭素数が５つの炭化水素のことである。
【００２５】
コレステリック液晶層１０２は、例えば赤の右円偏光を選択的に反射する光学特性に設定されたコレステリック液晶の層である。なお、コレステリック液晶層１０２が選択反射する反射光の色は、緑等の他の色であってもよい。また、反射する円偏光の旋回方向は右旋回に限定されず、左旋回であってもよい。
【００２６】
ホログラム加工１０３は、コレステリック液晶層１０２にホログラム型を押し付けてエンボス構造を付与することで施されている。コレステリック液晶層１０２からの反射光を観察すると、ホログラム加工１０３に起因するホログラムの像が観察される。ホログラムの内容としては、図形、模様、文字、各種のデザイン、デジタル画像情報を含むコード表示等が可能である。
【００２７】
粘着層１０４は、粘着剤の層であり、識別媒体１００を対象物に貼り付け固定する機能を有する。粘着層１０４を構成する粘着剤に黒や濃い青等の暗色の顔料を含有させると、粘着層１０４が光吸収層として機能し、コレステリック液晶層１０２の反射光を用いた識別効果が高くなる。なお、粘着層１０４を暗色以外の色にしたり、透明にしたりすることも可能である。
【００２８】
セパレータ１０５は、識別媒体１００の未使用時において、粘着層１０４の露出面を覆う離型紙である。識別媒体１００を対象物に貼り付ける際には、セパレータ１０５を剥がし、粘着層１０４を露出させ、粘着層１０４を対象物に接触させる。これにより、粘着層１０４の粘着力によって識別媒体１００が対象物に貼り付き、対象物に固定される。
【００２９】
（製造方法）
まず図示しない基板上でコレステリック液晶層１０２を成長させる。次いで、コレステリック液晶層１０２の露出面をＣＯＰ層１０１の片面に接着剤によって固定し、上記図示しない基板を剥がす。こうして、ＣＯＰ層１０１とコレステリック液晶層１０２の積層物を得る。次に、コレステリック液晶層１０２の露出面にホログラム型を押し付けることで、ホログラム加工１０３を施す。そして、コレステリック液晶層１０２のホログラム加工１０３が施された面に粘着層１０４を形成し、さらに粘着層１０４の露出面にセパレータ１０５を貼り付け、図１に示す識別媒体１００を得る。
【００３０】
（光学機能）
例えば、コレステリック液晶層１０２が赤の右円偏光を選択反射し、粘着層１０４が暗色で光吸収性である場合を説明する。この場合、ＣＯＰ層１０１側から識別媒体１００を直視すると、全体が赤く見え、ホログラム加工１０３に基づくホログラムが観察される。そして、この状態で識別媒体１００を傾け、見る角度を変化させるとコレステリック液晶層１０２からの反射光がカラーシフトを示し、観察される色が赤から短波長側に変化する。
【００３１】
次に、右円偏光フィルタを介してＣＯＰ層１０１側から識別媒体１００を観察すると、コレステリック液晶層１０２からの赤の右円偏光が優先的に観察され、赤のホログラムがより鮮明に見える。そしてこの状態で識別媒体１００を傾け、見る角度を斜めに変化させると、コレステリック液晶層１０２からの反射光がカラーシフトを示し、赤に見えていた反射光が短波長側にシフトし、赤→橙といった色調の変化が観察される。
【００３２】
円偏光フィルタを左円偏光フィルタに代えると、コレステリック液晶層１０２から反射される赤の右円偏光が、左円偏光フィルタで遮断され、コレステリック液晶層１０２は透明な状態となり、下地の粘着層１０４の暗色が観察される。この際、ホログラムは見えない。
【００３３】
（優位性）
以上述べたように、識別媒体１００は、ホログラム加工１０３が施されたコレステリック液晶層１０２をＣＯＰ（シクロオレフィンポリマー）層１０１に接して設けた構造とされている。この構造によれば、粘着層１０４によって対象物に貼り付けられた状態から識別媒体１００を溶剤を用いて剥がそうとした際にＣＯＰ層１０１が溶剤によって溶けて破損する。ＣＯＰ層１０１は、識別媒体１００の基材としても機能する層であり、上記の溶剤に触れることでの破損により、識別媒体１００自体が破損し、その再利用が困難となる。
【００３４】
すなわち、ＣＯＰ層１０１を構成するシクロオレフィンポリマーは、ガソリン、灯油、シンナー、ベンジン等の炭化水素系の溶剤に触れると非常に劣化しやすい化学的な性質を有し、また無理に引き剥がすような力を加えた際に引き裂かれ易くまた皴が生じ易いという物理的な性質を有している。このため、溶剤を用いて識別媒体１００を対象物から剥がそうとした場合や、強制的に識別媒体１００を対象物から剥がそうとした場合に、ＣＯＰ層１０１が破損し易い、あるいはその痕跡が残り易い。特に溶剤に浸った状態で、ＣＯＰ層１０１に力が加わると、上記の傾向が大となるので識別媒体としての再利用が不可能となる確率が更に高くなる。
【００３５】
コレステリック液晶層１０２や粘着層１０４は、軟らかい材質であり、それ自体の剛性はほとんどない。このため、ＣＯＰ層１０１が破損し千切れた際に千切れたＣＯＰ層１０１と一緒にコレステリック液晶層１０２および粘着層１０４が千切れ、識別媒体１００は破損した状態となる。そして、破損した識別媒体１００は、再利用が困難となる。
【００３６】
また、粘着層１０４と対象物との間に注意深く溶剤を流し込み、溶剤がＣＯＰ層１０１に接触しないようにしても、識別媒体１００を剥がそうとする力がＣＯＰ層１０１に働くと、ＣＯＰ層１０１の物理的に脆い材質により、ＣＯＰ層１０１にクラックや筋が生じる現象が発生する。この現象が生じると、光学的にそれが視認可能となり、仮に再利用しても不正な剥がし行為の痕跡が残る。
【００３７】
（２）第２の実施形態
（構成）
図２には、識別媒体２００が示されている。識別媒体２００は、図１の識別媒体１００において、コレステリック液晶層１０２の観察面側と反対側の面（図の下面）に印刷パターンを設けた例である。他の構成は、図１の識別媒体１００と同じである。この場合、コレステリック液晶層１０２にホログラム加工１０３を施した後に、インクジェット法やその他適当な印刷方法により印刷パターン１０６を形成する。印刷パターン１０６としては、図柄、模様、文字、バーコード等の各種コード表示が可能である。
【００３８】
（光学機能）
仮に、粘着層１０４が暗色で、印刷パターンが緑であり、コレステリック液晶層１０２が赤の右円偏光を選択反射する設定であるとする。この場合、ＣＯＰ層１０１側から識別媒体１００を直視すると、全体が赤く見え、ホログラム加工１０３に基づくホログラムが観察され、また印刷パターン１０６が薄く見える。そして、この状態で識別媒体１００を傾け、見る角度を変化させるとコレステリック液晶層１０２からの反射光がカラーシフトを示し、赤から短波長側に色調が変化する。
【００３９】
そして、右円偏光フィルタを介して識別媒体２００を観察すると、コレステリック液晶層１０２からの反射光を優先的に見ることになるので、赤のホログラムが鮮明に見える。またこの状態においても識別媒体２００を傾けると、コレステリック液晶層１０２からの反射光がカラーシフトを示し、それが観察される。
【００４０】
そして、左円偏光フィルタを介して識別媒体２００を観察すると、コレステリック液晶層１０２からの赤の右円偏光が左円偏光フィルタで遮断され、印刷パターン１０６の緑のパターンが鮮明に観察される。
【００４１】
（優位性）
識別媒体２００の場合も溶剤を用いた不正な剥がし行為や物理的な無理な剥がし行為が行われると、ＣＯＰ層１０１の破損が発生し、識別媒体２００自体が破損し、再利用ができなくなる。
【００４２】
（３）第３の実施形態
（構成）
図３には、識別媒体３００が示されている。識別媒体３００は、観察が行われる側から、保護層となるハードコート層１０７、ホログラム加工１０３が施されたコレステリック液晶層１０２、観察が行われる側と反対側の面（図の下面）に印刷パターン１０６が形成されたＣＯＰ層１０１、粘着層１０４、セパレータ１０５と積層された構造を有している。
【００４３】
ハードコート層１０７は、アクリル樹脂やウレタン樹脂等によるコート層であり、コレステリック液晶層１０２の観察面側の表面を保護する樹脂の層である。ハードコート層１０７は可視光を透過し、且つ、透過する光の偏光の状態を乱さないものが選択される。
【００４４】
この例において、ＣＯＰ層１０１は、コレステリック液晶層１０２の観察が行われる面と反対側の面（図の下面）に接触し、コレステリック液晶層１０２を支える基材として機能している。ＣＯＰ層１０１の粘着層１０４の側の面には、印刷パターン１０６が形成されている。
【００４５】
（光学機能）
識別媒体３００の光学機能は、識別媒体２００と同じである。
【００４６】
（製造方法）
まず、その表面からの剥離が容易な図示しない易剥離性の基板を用意し、その上にハードコート層１０７を形成する。次にハードコート層１０７の露出面（図３でいうとハードコート層１０７の下面側）にコレステリック液晶層１０２を形成する。これは、コレステリック液晶層１０２をハードコート層１０７上に直接形成してもよいし、別に形成し、それをハードコート層１０７に載せ代え、そこに固定する方法であってもよい。なお、前者の場合、ホログラム加工１０３は、ハードコート層１０７上にコレステリック液晶層１０２を形成した後に施し、後者の場合、ホログラム加工１０３は、別基板上でコレステリック液晶層１０２を形成した後に施す。
【００４７】
次に、コレステリック液晶層１０２の露出面(図３でいうと下面)をＣＯＰ層１０１に接着剤によって固定し、その後、図示しない易剥離性の基板をハードコート層１０７から剥がす。こうすることで、観察面側からハードコート層１０７、コレステリック液晶層１０２、ＣＯＰ層１０１と積層された積層物を得る。次に、ＣＯＰ層１０１の露出面に印刷パターン１０６を印刷により形成し、更に粘着層１０４を形成する。最後に、粘着層１０４の露出面にセパレータ１０５を貼り付け、図３に示す識別媒体３００を得る。
【００４８】
（優位性）
識別媒体３００が対象物に貼り付いている状態において、溶剤を用いて識別媒体３００を対象物から剥がそうとした場合、ＣＯＰ層１０１が溶剤で溶けて破損する。特に、識別媒体３００では、ＣＯＰ層１０１が粘着層１０４に接触しているため、粘着層１０４を溶かす目的で用いられる溶剤がＣＯＰ層１０１に接触し易い。このため、溶剤を用いた不正な剥がし行為に際して、ＣＯＰ層１０１の破損がより生じ易い。また、ＣＯＰ層１０１が溶剤で溶けると、印刷パターン１０６の表示内容が崩れ、その痕跡が明確に残る状態となる。この点でも、不正な剥がし行為の痕跡が明確に生じやすいという点で有利となる。
【００４９】
また、溶剤を用いなくても、無理に識別媒体３００を対象物から剥がそうとすると、ＣＯＰ層１０１に力が加わり、ＣＯＰ層１０１の破損、あるいは破損までいない場合であってもＣＯＰ層１０１でのクラックの発生や筋の発生が生じる。このため、溶剤を用いない不正な剥がし行為が行なわれた場合も識別媒体の再利用が困難になる。特に溶剤を用いた状態で剥がそうとすると、ＣＯＰ層１０１が脆くなっている状態で力が加わるので、ＣＯＰ層１０１が確実に破損する。このため、当該識別媒体の再利用が特に困難となる。
【００５０】
（４）第４の実施形態
図４には、識別媒体４００が示されている。識別媒体４００は、図３の識別媒体３００において、粘着層１０４の粘着面に穴またはスリット１０８を設けた構成とされている。ここで、粘着層１０４の粘着面は、セパレータ１０５が貼り付けられている面であり、対象物に貼り付けた際に、対象物に接触する側の面（図の下面）である。
【００５１】
穴またはスリット１０８は、粘着層１０４の粘着面側（セパレータ１０５に接する面側）から、形成されている。穴またはスリット１０８の先端は、印刷パターン１０６がある部分では、印刷パターン１０６に到達し、印刷パターン１０６がない部分では、ＣＯＰ層１０１に到達している。なお、穴またはスリット１０８の先端が、正確に印刷パターン１０６およびＣＯＰ層１０１に到達していない構造も可能であるが、できるだけその近くにまで到達している構造が好ましい。
【００５２】
穴またはスリット１０８は、粘着層１０４を形成した後に、粘着層１０４の露出面（図の下面）側から針や刃を当てることで形成される。例えば、スリットであれば、粘着層１０４に切り込みを入れることで形成される。
【００５３】
穴またはスリット１０８が設けられることで、粘着層１０４の粘着力を弱めるために溶剤が使用された場合に、溶剤が穴またはスリット１０８からＣＯＰ層１０１の側に浸透し、ＣＯＰ層１０１に到達し易い構造となる。これにより、溶剤を用いた剥がし行為が行われた際に、ＣＯＰ層１０１がより破損し易い構造が得られる。また、穴またはスリット１０８を介して溶剤が印刷パターン１０６に到達し易いので、印刷パターン１０６を構成するインクの溶剤による溶解も期待でき、この点でも溶剤を用いた不正な剥がし行為の痕跡が生じ易い構造となる。
【００５４】
（５）第５の実施形態
図３または図４に示す構成において、ハードコート層１０７の代わりにＣＯＰ層を用いることもできる。この構成では、当該識別媒体が溶剤に触れた場合に、コレステリック液晶層１０２と粘着層１０４との間に挟まれているＣＯＰ層１０１、および表面保護層として機能するハードコート層１０７の部分に用いられたＣＯＰ層が破損する。このため、どのように注意深く溶剤を用いたとしても再利用が不可能となる可能性が極めて高くなる。
【００５５】
（６）第６の実施形態
図１に示す構造において、コレステリック液晶層１０２の代わりに、通常のホログラム層を採用してもよい。この場合、例えばコレステリック液晶層１０２の部分が、エンボス加工によるホログラム加工が施された透明な樹脂層、その上に形成されたアルミ蒸着層により構成されたホログラム層に置き換えられる。
【００５６】
（７）第７の実施形態
（構成）
図３に示す構造において、ＣＯＰ層１０１の代わりに延伸ＣＯＰ層を用いた円偏光フィルタ層を採用してもよい。以下、この一例を説明する。図５には、識別媒体５００が示されている。識別媒体５００は、図３の識別媒体３００において、ＣＯＰ層１０１の代わりに延伸ＣＯＰ層１０９とリオトロピック液晶染料の層１１０を積層した構造の円偏光フィルタ層１１１を用いている。なお、円偏光フィルタ層１１１以外の部分は、図３の識別媒体３００と同じである。
【００５７】
延伸ＣＯＰ層１０９は、ＣＯＰフィルムを一方向に延伸加工し、複屈折特性を示すように加工したフィルムである。この例では、λ／４板として機能する複屈折性を示すようにＣＯＰフィルムを延伸加工し、延伸ＣＯＰ層１０９を得ている。また、延伸ＣＯＰ層１０９は、識別媒体５００の基材としても機能する。
【００５８】
リオトロピック液晶染料の層１１０は、特定の偏光方向の直線偏光を選択的に透過する直線偏光層（直線偏光フィルタ）として機能する。円偏光フィルタ層１１１は、印刷パターン１０６からの反射光（図の上方向への反射光）を右旋回または左旋回の円偏光に変換する。言い換えると、円偏光フィルタ層１１１は、印刷パターン１０６からの反射光として、特定の旋回方向の円偏光のみを図の上方向に選択的に透過する。
【００５９】
円偏光フィルタ層１１１が選択的に透過する円偏光の旋回方向は、コレステリック液晶層１０２が選択反射する円偏光の旋回方向と逆方向に設定されている。例えば、コレステリック液晶層１０２が右円偏光を選択反射する設定の場合、円偏光フィルタ層１１１が左円偏光を図の上方向に選択的に透過する設定とし、コレステリック液晶層１０２が左円偏光を選択反射する設定の場合、円偏光フィルタ層１１１が右円偏光を図の上方向に選択的に透過する設定とする。
【００６０】
リオトロピック液晶染料の層１１０を直線偏光層として用いる技術については、例えば、特開２０１０−２５００２５号公報に記載されている。リオトロピック液晶染料の層１１０は、色素が一方向に配向した層が多層に積層された構造を有し、この構造により、特定の方向の直線偏光を選択的に透過する性質を示す。
【００６１】
以下、リオトロピック液晶染料の層１１０について説明する。この例において、リオトロピック液晶染料は、延伸ＣＯＰ層１０９の露出面に、スリットダイコータ等を用いて色素を配向させた状態で塗布され、形成される。スリットダイコータは、溶液状態の偏光層材料を塗布面に供給しつつ、当該材料へ圧力を加えながら塗布方向に引き伸ばすことができる。この塗布方法により、色素が特定の方向に配向し、直線偏光を選択的に透過する性質を有する塗布型偏光層が形成される。
【００６２】
塗布型偏光層は、インダンスロン誘導体、ペリレンテトラカルボン酸のジベンズイミダゾール誘導体やナフタレンテトラカルボン酸誘導体をスルホン酸化したクロモニック相を発現するリオトロピック液晶相として形成される。この塗布型偏光層を塩化バリウムによって脱スルホン化することで不溶化する。この作業を繰り返すことで、塗布型偏光層を多層化し、直線偏光層として機能するリオトロピック液晶染料の層１１０を形成する。なお、リオトロピック液晶染料の層１１０における色素の配向性を配向膜や他の配向処理方法により与えることもできる。
【００６３】
リオトロピック液晶染料の層１１０は、シンナーやベンジン等の炭化水素系の溶剤に溶ける材料である。なお、同様な目的で利用できる材料としては、上記のリオトロピック液晶染料以外に、特開２００１-３３０７２６号に記載されているように二色性色素を添加した液晶等が挙げられる。
【００６４】
（光学機能）
例えば、コレステリック液晶層１０２が右円偏光を選択反射する設定とされ、円偏光フィルタ層１１１が左円偏光を選択的に透過する設定とされているとする。
【００６５】
この場合、右円偏光フィルタのビューアを介して識別媒体５００を観察すると、コレステリック液晶層１０２からの反射光は、ビューアを透過するので、ホログラム加工１０３に起因するホログラム像を視認できる。これに対して印刷パターン１０６からの反射光は、直線偏光層であるリオトロピック液晶染料の層１１０を透過した段階で、直線偏光となり、さらにλ／４板である延伸ＣＯＰ層１０９を透過した段階で左円偏光となり、右円偏光フィルタであるビューアで遮断され、視認できない。つまり、ホログラム加工１０３に起因するホログラム像は視認できるが、印刷パターン１０６からの反射光は視認できない。
【００６６】
また、この識別媒体５００を左円偏光フィルタのビューアを介して観察すると、コレステリック液晶層１０２からの右円偏光の反射光はビューアで遮断されるが、印刷パターンからの反射光は、円偏光フィルタ層１１１を左円偏光の状態で図の上方向に透過するので、左円偏光フィルタのビューアを透過し、視認が可能となる。つまり、ホログラム加工１０３に起因するホログラム像は視認できないが、印刷パターン１０６からの反射光は視認できる。
【００６７】
こうして、左右の円偏光フィルタを切り替えて観察を行うことで、ホログラム加工１０３に起因するホログラム像が選択的に見える状態と、印刷パターン１０６が選択的に見える状態とが切り替わる。この見た目の切り替わりにより高い識別性を得ることができる。
【００６８】
（優位性）
粘着層１０４の粘着力を炭化水素系の溶剤で低下させようとすると、塗布型偏光層により構成されたリオトロピック液晶染料の層１１０が溶剤により溶け、更に延伸ＣＯＰ層１０９が溶剤に触れ、延伸ＣＯＰ層１０９が溶剤により破壊される。これにより、延伸ＣＯＰ層１０９の基材としての機能が失われ識別媒体５００が物理的に破壊される。また、円偏光フィルタ層１１１の光学機能が失われる。仮に、物理的な破壊が不完全な場合でも円偏光フィルタ層１１１の光学機能が低下することで、上述した見た目で顕著な違いが認識可能な光学機能が部分的であっても損なわれ、不正利用の痕跡が視覚的に明確に確認できる状態となる。このため、溶剤を用いて対象物から不正に剥がして再利用することの困難性が極めて高くなる。仮に、直線偏光層を塗布型偏光層でなく、一般的な直線偏光フィルムで構成した場合、直線偏光フィルムはヨウ素等の二色性色素を吸着させてＰＶＡを延伸したものをＴＡＣフィルムで挟んだ構成となっており、これらの材料は炭化水素系の溶剤で溶けたり、劣化したりしないため、塗布型偏光層を利用した場合に比較して上記の優位性は低くなる。
【００６９】
（８）第８の実施形態
図５の識別媒体５００において、粘着層１０４を透明な材質としてもよい。この場合、印刷パターン１０６に加えて、識別媒体５００が貼り付けられる対象物の表面の図柄を、印刷パターン１０６と同様な識別の対象として利用することができる。また、この構成において、印刷パターン１０６を設けない構造も可能である。この場合、識別媒体５００が貼り付けられる対象物の表面の図柄が印刷パターン１０６と同様な識別対象の図柄となる。
【００７０】
（その他）
第１〜第７の実施形態における構成は、その一部または複数を任意に組み合わせて用いることが可能である。たとえば、図５の識別媒体５００の粘着層１０４に、図４の識別媒体４００の粘着層１０４に設けられている孔またはスリット１０８を設ける構造等が可能である。
【産業上の利用可能性】
【００７１】
本発明は、真贋の識別を行うための技術に利用することができる。
【図１】
2012137550.tif 000003
【図２】
2012137550.tif 000004
【図３】
2012137550.tif 000005
【図４】
2012137550.tif 000006
【図５】
2012137550.tif 000007
【国際調査報告】
2012137550.tif 000008
2012137550.tif 000009
2012137550.tif 000010
2012137550.tif 000011